(57)【特許請求の範囲】
【請求項１】
パッドを駆動するモータを有しており、上部が把持部とされたサンダにおいて、
前記モータの電源スイッチと変速スイッチが、平面上に並べられており、
前記把持部が、ハウジングに設けられた括れ部の上側に配置されており、
前記電源スイッチと前記変速スイッチが、同一の形状で形成されていると共に、間を置いた状態で、前記ハウジングの左右中心を基準として左右に対称に配置されており、
前記電源スイッチと前記変速スイッチの中心間距離が、前記括れ部の最深部間距離より狭くなっている
ことを特徴とするサンダ。
【請求項２】
前記把持部の脇に、前記平面が配置されている
ことを特徴とする請求項１に記載のサンダ。
【請求項３】
前記平面が、上部ほど内側に倒れる斜面となっている
ことを特徴とする請求項１又は請求項２に記載のサンダ。
【発明の詳細な説明】
【技術分野】
【０００１】
本発明は、上部に把持部を有するサンダに関する。
【背景技術】
【０００２】
下記特許文献１に示されるように、本体ハウジングの上部に丸みを持たせ手を当て易くして、上部を把持可能としたサンダが知られている。このサンダにおいて、駆動の開始（電源オン）あるいは終了（オフ）は、本体ハウジングの上部に設けられたスイッチの切替により行われる。
【先行技術文献】
【特許文献】
【０００３】
【特許文献１】特開２００２−１４４２１０号公報
【発明の概要】
【発明が解決しようとする課題】
【０００４】
特許文献１のサンダでは、駆動のオンとオフを切換えるスイッチしか設けられていないため、パッドの回転開始と停止しか指令することができず、他の操作をすることができない。
【０００５】
そこで、本発明は、駆動のオンとオフの他にも操作可能としながら、各種の操作も行い易いサンダを提供することを主な目的とするものである。
【課題を解決するための手段】
【０００６】
上記目的を達成するために、請求項１に記載の発明は、パッドを駆動するモータを有しており、上部が把持部とされたサンダにおいて、前記モータの電源スイッチと変速スイッチが、平面上に並べられており、前記把持部が、ハウジングに設けられた括れ部の上側に配置されており、前記電源スイッチと前記変速スイッチが、互いに同一の形状で形成されていると共に、互いに間を置いた状態で、前記ハウジングの左右中心を基準として左右に対称に配置されており、前記電源スイッチと前記変速スイッチの中心間距離が、前記括れ部の最深部間距離より狭くなっていることを特徴とするものである。
請求項２に記載の発明は、上記発明において、前記把持部の脇に、前記平面が配置されていることを特徴とするものである。
請求項３に記載の発明は、上記発明において、前記平面が、上部ほど内側に倒れる斜面となっていることを特徴とするものである。
【発明の効果】
【０００７】
本発明の内、請求項１に記載の発明によれば、電源スイッチと変速スイッチが平面上に並べられているため、電源操作位置から少し手をずらすことで変速操作を実行することができ、電源操作と変速操作の双方を行い易いサンダを提供することができる。又、前記電源スイッチと前記変速スイッチが左右に並べられているため、上記効果に加え、指を左右にずらして電源操作と変速操作を切換えることができ、操作性をより一層向上することができる。更に、前記電源スイッチと前記変速スイッチの中心間距離を前記把持部下側におけるハウジングの最狭部間より狭くしたので、上記効果に加え、電源操作と変速操作の切換に際し手を大きく動かすことが不要となり、各種操作を更に行い易いものとすることができる。
又、請求項２に記載の発明によれば、把持部の脇に各種スイッチが配置されるため、上記効果に加え、サンダを把持した状態で各種スイッチの切替操作を行うことができ、操作性を極めて良好なものとすることができる。
加えて、請求項３に記載の発明によれば、前記平面を上側へ行く程ハウジング中心側に倒れる斜面としたので、上記効果に加え、自然に指を各種スイッチへ導くような形態とすることができ、操作に支障を来さず手になじむ操作部を提供することができる。
【図面の簡単な説明】
【０００８】
【図１】本発明に係るサンダの一部切欠平面図である。
【図２】図１の横中央断面図である。
【図３】図１における出力軸の軸線を含む横断面を示す図である。
【図４】図１の正面図である。
【発明を実施するための形態】
【０００９】
以下、本発明の実施の形態を図面に基づいて説明する。
図１はサンダ１の一部切欠平面図（図の右がサンダ１の前方）であり、図２は図１の横中央断面図である。
サンダ１は、ハウジング２の上部２ａ（把持部）をユーザの片方の手で握ることで操作可能なパーム型であって、上部２ａの脇に（電源スイッチ，変速スイッチとしての）ボタン３ａ，３ｂを備えている。
更に、サンダ１は、ハウジング２内の中央部において、鉛直な出力軸４を、その中心軸周りで回転自在に備えている。出力軸４の上部と中央部の周囲には、それぞれボールベアリング６，７が配置されており、これらはハウジング２内部においてハウジング２に対して固定されている。
【００１０】
又、出力軸４の中央部（ボールベアリング７の下側）の周囲において、出力軸側プーリ８が固定されており、更にその下側の周囲には、ファン９が固定されている。
ハウジング２の下部におけるファン９収容部分は、その上側に対して両側方にそれぞれ張り出す突出部２ｃ，２ｃとして形成されている。各突出部２ｃの上部は、周囲に対して窪む括れ部４４となり、括れ部４４はハウジング２の上部２ａにおける各側方への膨出の下側まで続いている。
なお、ハウジング２の下部であって、ファン９の脇（後述するバッテリ装着部４２の下側）には、塵入りのエアを排出する集塵管９ａとの接続部２ｂが形成されている。集塵管９ａは、接続部２ｂにおいて、接続ネジ９ｂにより固定されている。
【００１１】
図３は図１における出力軸４の軸線を含む横断面を示す図である。
出力軸４の先端には、パッド１０が取り付けられ、パッド１０の下面には、面ファスナー等を介して、工具の一例である研磨用のサンディングペーパー（図示せず）が取り付けられる。
パッド１０は、パッド本体１２と、その上側に配置されるパッド軸受具１４を有する。パッド軸受具１４は、ボールベアリング１６と、その内筒に固定される内側ベアリングリテーナ１８（フラットワッシャ）と、ボールベアリング１６の外筒に固定される外側ベアリングリテーナ２０を含む。
内側ベアリングリテーナ１８におけるボールベアリング１６の回転軸線から偏心した位置には、出力軸４の先端部に入る内側ネジ２２を通す孔が開けられている。なお、内側ベアリングリテーナ１８はボールベアリング１６の内筒下側に配置され、ボールベアリング１６を下方から支持する。ボールベアリング１６の内筒内部にはファン９の下側突出部が入れられ、その下側突出部にも出力軸４が通されている。
一方、外側ベアリングリテーナ２０とパッド本体１２をつなぐ外側ネジ２４を通すための孔が、これら双方に開けられている。
【００１２】
又、ハウジング２内における出力軸４の脇には、モータ３０が固定されている。
モータ３０の回転軸３２には、モータ側プーリ３４が固定されており、モータ側プーリ３４と出力軸側プーリ８には、図示しないベルト（タイミングベルト）が掛けられている。モータ側プーリ３４は、出力軸側プーリ８より径の小さい状態とされており、回転軸３２の回転は出力軸４において減速される。
【００１３】
更に、ハウジング２外側であって、モータ３０に対して上部２ａないし出力軸４を挟んで反対側には、バッテリ４０が装着されている。即ち、モータ３０は、把持部あるいは出力軸４を挟んでバッテリ４０と反対側に配置されている。
バッテリ４０は、面取りされた直方体状を呈しており、一つの面に図示しない単数又は複数の端子が配置されている。
なお、バッテリ４０は、充電器により充電可能な充電池であり、サンダ１は充電式サンダとなっている。又、モータ３０ないしバッテリ４０に対し、そのスイッチとしての役目を果たすように、ボタン３ａ，３ｂが電気的に接続されている。
【００１４】
ハウジング２におけるモータ３０と逆側の外面は、バッテリ４０の端子面と同様の形状であるバッテリ装着部４２として形成されている。
バッテリ装着部４２は、バッテリ４０を出力軸４の軸線（サンダ１の上下）に対して上方になる程遠ざかる状態で傾けて案内するよう、下方となるに従い内側に入るように傾けられている。即ち、バッテリ４０の着脱は、バッテリ装着部４２の傾斜角度に合わせてスライドさせることで可能となる。バッテリ装着部４２は、図示しないバッテリ４０に対する係止部を備えており、当該係止部がバッテリ４０の装着時にバッテリ４０に係止し、バッテリ４０の抜脱時に当該係止部の係止が解除されることで、バッテリ４０を着脱自在に受け入れる。又、バッテリ装着部４２には、バッテリ４０の装着時にその端子と重なる図示しない端子が設けられている。当該端子は、モータ３０と電気的に接続されており、装着されたバッテリ４０の電力をモータ３０に供給することが可能となっている。
【００１５】
バッテリ装着部４２に装着されたバッテリ４０は、下方になる程サンダ１（ハウジング２）の中央に近づく状態（下方になる程内側になる状態）となる。又、装着されたバッテリ４０の下部が、パッド１０（の接触部）の端部上方より内側に入るよう、パッド１０（の接触部）、バッテリ４０ないしバッテリ装着部４２が形成されている。
又、バッテリ４０が装着されると、その上部がハウジング２の上部２ａと連続的となって揃うよう、バッテリ４０ないしバッテリ装着部４２が形成されている。
【００１６】
そして、図４にも示すように、ボタン３ａ，３ｂは、ハウジング２の上部２ａの前側に形成された平面６０上に形成されている。平面６０は、ハウジング２の左右中心を基準として対称に形成されており、その上にボタン３ａ，３ｂが（平面６０に向かって）左右に並んで対称に配置されている。又、平面６０は、上に行く程後側に行く（サンダ１あるいはハウジング２の中央に近づく）ような斜面として形成されている。
ボタン３ａ，３ｂの中心間距離は、例えば１５ｍｍであり、上部２ａを人差指以外で握りつつ人差指のみで操作しやすくするために好ましくは２０ｍｍ以下とする。当該距離は、括れ部４４の最深部があってハウジング２の左右幅が最小となる部分（最狭部）の寸法（例えば６０ｍｍ）より小さくなっている。
なお、ボタン３ａ，３ｂは、ボタンユニット６２の前面においてそれぞれ膨出するように設置されており、平面６０の中央にボタンユニット６２の前面が配置される。又、平面６０の周囲には、前面に突出する筋状のリブ６４が形成されている。
【００１７】
このようなサンダ１は、例えば次のように動作する。
即ち、動作停止状態において、バッテリ４０をバッテリ装着部４２に装着してボタン３ｂを押すと、バッテリ４０によりモータ３０への給電がなされ、回転軸３２が所定の速度で回転する。
又、動作中にボタン３ａを押すとバッテリ４０による給電が遮断され、モータ３０が停止して動作停止状態となり、動作中にボタン３ｂを（複数回）押すと、回転軸３２速度が（数種類において順次）変更される。例えば、停止中におけるボタン３ｂの１回目の押下で回転速度が初期速度となる状態で回転が開始され、２回目の押下で初期速度から所定分だけ減速し、３回目の押下で更に２回目の速度より減速し、４回目は初期速度に戻ってこれ以降は以上を繰り返す（トグルスイッチ）。
なお、ボタン３ｂは、停止状態で押下すると電源オンの指令を発するため、厳密には電源スイッチの機能を併有するが、変速の指令を発することに変わりはない（主な機能が変速指令である）ため、変速スイッチに該当するものである。又、ボタン３ａは、少なくとも電源をオフにするものであるため、ボタン３ｂが電源オンの機能を有するとしても、やはり電源スイッチに該当するものといえる。
【００１８】
モータ３０の回転軸３２は、これに固定されたモータ側プーリ３４、上記ベルトないし出力軸側プーリ８を介して、出力軸４を回転駆動する。
出力軸４の回転により、パッド１０が次のように偏心回転し又回転する。即ち、ボールベアリング６，７及び出力軸４を中心に、ボールベアリング１６及び外側ベアリングリテーナ２０を介してパッド本体１２が回転する（公転）。サンダ１の作業時には、ボールベアリング１６の内筒、ボール、外筒の間に相互に力が加わることによって転動抵抗が発生し、パッド１０がボールベアリング１６を中心に、公転と同一方向に回転する（自転）。なお、無負荷回転の時には、ボールベアリング１６内の摩擦抵抗が不安定な状態なので、不規則な自転をしたり、自転しなかったりする。
かように回転されるパッド１０を、ハウジング２の上部２ａを把持することでワークに対し押し付けつつ移動させることにより、サンディングペーパー等を介してワークの表面に研磨等を施すことができる。
ハウジング２の上部２ａは、バッテリ４０の傾斜装着により、十分に確保されている。又、バッテリ４０の傾斜装着により、サンダ１の重心は傾斜させない場合に比べ中央寄りとなる。かような把持部の確保及び重心の中央寄りの配置は、バッテリ４０の装着角度につき鉛直線から０°を超えたものとすることで実現することができる。又、バッテリ４０を傾斜させすぎると、サンダ１の装置寸法が大きくなりすぎたり、内部構造のためのスペースをとり難くなるため、装着角度を鉛直線から３０°以内とすることが好ましい。なお、バッテリ４０の装着角度（長手方向の延在方向）につき鉛直線から０°とする場合も、把持部の確保及び重心の中央寄りの作用効果を呈するのであり、よってバッテリ４０の長手方向は鉛直方向に対して０°以上に延在させれば良い。
【００１９】
以上のサンダ１では、ハウジング２の上部２ａが把持部とされたものであり、バッテリ装着部４２が、出力軸４（サンダ１の中央部）に対して、下方となる程近づき（内側に入り）上方となる程遠ざかる（外側に出る）ように傾けられているため、バッテリ４０が同様に傾いた状態で装着される。このとき、長形のバッテリ４０の長手方向は、鉛直方向に対して、下方となる程内側に入る方向に０°を超えた角度で延在される。
従って、把持部を広くとりつつ、比較的に重量の嵩むバッテリ４０をサンダ１中央の出力軸４に近づけることができ、サンダ１のグリップに必要なスペースを十分に確保しながら、サンダ１の重心位置を中央に寄せて安定性を良好にすることができる。よって、握り易さや中央寄りの重心位置により、動かし易くして操作性を良好にすることができるし、サンダ１の動作時に振動が発生したとしても、重心位置によりその影響を少なくすることができて安定性を良好にすることができる。
【００２０】
又、バッテリ４０の把持部を挟んで反対側にモータ３０を配置しているため、比較的に重量の嵩むバッテリ４０に対向して、比較的に重量の嵩むモータ３０を配することができ、重量のバランスを良好なものとして、操作性や安定性を一層向上することができる。
更に、モータ３０の回転が出力軸４において減速され、パッド１０が回転及び偏心回転される（オービタル回転される）ことにより、オービタル回転しないものと比べ研磨の精度向上等の性能の良好化と引き替えに振動が発生し易くなるところ、バッテリ４０の斜め設置等により重量バランスを良好にしているため、操作性や安定性の向上によりその振動に効果的に対処することができる。
【００２１】
又更に、バッテリ３０の下部がパッド１０の端部上方より内側に入っているため、バッテリ４０の重量を、出力軸４を介してパッド１０にほぼ鉛直にかけることができ、研磨等の使用においてパッド１０から受ける反力等により生ずる振動等に対し、かような重量のバランスによって効果的に対処することが可能となる。
又、バッテリ４０の装着角度につき０°を超えて３０°以下の範囲内とすることで、把持部の十分な確保と適切な重量バランスを実現しながら、内部構造用のスペースも十分に確保することができるし、サンダ１をコンパクトに形成することができる。
加えて、バッテリ４０を装着するとその高さが把持部と揃うため、バッテリ４０の腕等への干渉を防止することができるし、手や腕等をバッテリ４０の上部に（把持部と共通した状態でも）置くことができる。
【００２２】
そして、サンダ１において、ハウジング２の外面に形成された平面６０の上に、少なくとも電源オフの機能を有する電源スイッチ（ボタン３ａ）と、パッド１０の回転速度を変更する機能を有する変速スイッチ（ボタン３ｂ）を並べたので、電源のオンオフ切替操作に加えて変速操作も同様に行うことができ、同一の指で操作し易くすることができて、サンダ１の操作性を極めて良好なものとすることができる。
又、把持部（ハウジング２の上部２ａ）の脇に各種ボタンを配置したので、把持部で握りながらボタンを操作することができ、サンダ１の操作を確実かつ容易に行うことができる。
【００２３】
更に、各種ボタンが左右に並んでいるため、指を左右に動かし押下することで各種の操作を指令することができ、特に上から手を当てるサンダ１における操作性を更に向上することが可能となる。
又更に、ボタンの中心間距離が、ハウジング２の左右の最狭部の幅（括れ部４４の最深部間距離）より狭いため、手をさほど大きく動かすことなく押下するボタンを選択することができ、サンダ１をより一層操作し易いものとすることができる。
加えて、各種ボタンを配置する平面６０を、上部がサンダ１中心（内側）に近づく状態で倒した（斜面とした）ため、平面６０の設置によりその境目が鋭く角張らないようにしてボタンを押す際に指が当該角で妨げられる事態を防止し、指をボタンへ自然に案内する状態にできて、ボタンを押し易く更に操作し易いものとすることが可能である。
【００２４】
なお、本発明は上記形態に限定されず、次にそれぞれ示す変更例を有するものである。各種のボタンにつき、互いに大きさや形状、膨出寸法等の異なるものとしても良いし、共通のボタンユニットに形成することに代えて、それぞれのボタンを有する別個のユニットを併設しても良い。電源ボタンにつきオンオフを切換えるものとし、変速ボタンにつき電源オン時に回転速度を変える（電源オフ時に何もしない）ものとする。ボタンを斜め方向や高さ方向に沿うように並べる。各種ボタンやその設置平面を把持部の左側あるいは右側に設ける。各種ボタンの少なくとも何れかをスライドスイッチ等の他の形式のスイッチとする。
【００２５】
バッテリの装着態様につき、バッテリ装着部に案内されるスライド取付方式に代えて、直接係止部に係止させるダイレクト取付方式を採用したり、蓋付きあるいは蓋なしの箱形の収容部を設けてバッテリを収容により装着する方式を採用したりする。バッテリの係止部やファン、集塵管等を省略したり、各種軸受やネジ、ボタンの数を増減したりする。ボタンを各種モード切換用やオンオフ兼用としたり、ボタンに替えてレバースイッチを採用したり、ベルトとプーリを（通気孔付きの）ギアに替えたり、ネジをピンとしたり、パッドのボールベアリングの内筒内にファンの中央下部を入れないようにして出力軸を直接固定したり、バッテリを装着したサンダにおいて充電池を充電可能としたり、使い切りのバッテリを採用したり、バッテリ駆動に代えてあるいはバッテリ駆動と共に家庭用交流電源等の他の電源で駆動可能としたり、ハウジングの突出部ないし括れ部や各種窓の数を増減したりする等、各種部材の機能や配置、種類や数を適宜変更する。又、本発明を、パッドがオービタル回転するオービタルサンダ以外の他のサンダに適用する。
【符号の説明】
【００２６】
１・・サンダ、２・・ハウジング、２ａ・・（ハウジングの）上部（把持部）、３ａ・・ボタン（電源スイッチ）、３ｂ・・ボタン（変速スイッチ）、４・・出力軸、１０・・パッド、３０・・モータ、３２・・（モータの）回転軸、４０・・バッテリ、４２・・バッテリ装着部、４４・・（ハウジングの）括れ部、６０・・（スイッチ設置）平面。
【図１】
0005841423.tif 000002
【図２】
0005841423.tif 000003
【図３】
0005841423.tif 000004
【図４】
0005841423.tif 000005